(57)【要約】      （修正有）【課題】脳神経外科等の顕微鏡下手術における顕微蛍光観察法のうち、顕微赤外蛍光ビデオ観察に関する。従来は可視光ビデオカメラとこの赤外光ビデオカメラの２台が手術顕微鏡に搭載されている。可視光ビデオカメラのみで赤外蛍光を撮影可能ならしめんとする。【解決手段】先ず、可視光ビデオカメラの撮像素子直前に設置されている赤外光カットフィルターａを取り外す。それ故、カメラ撮像素子に赤外光は到達する。この取り外した赤外光カットフィルター（あるいは同等の波長特性を持つ紫外／赤外光カットフィルター）を鏡筒に設置しておく。同様に、赤外蛍光濾過フィルターｂを鏡筒に設置する。両種のフィルターはレバーで回転移動でき、顕微鏡光路に出し入れできる。つまり、可視光撮影の場合、赤外光カットフィルターを光路に入れ、赤外蛍光撮影の場合、赤外蛍光濾過フィルターを光路に入れる。こうして、ビデオカメラは可視光でも赤外光でも撮影する。【選択図】図１
2017136327.tif 000002
【特許請求の範囲】
【請求項１】
赤外光カットフィルターと赤外蛍光濾過フィルターを有し、それを任意、手術顕微鏡光路に挿入可能な顕微鏡鏡筒
【請求項２】
赤外光カットフィルターと赤外蛍光濾過フィルターを有し、それを任意、手術顕微鏡光路に挿入可能なビデオアダプター（顕微鏡像をビデオ撮影するための光学装置）
【発明の詳細な説明】
【技術分野】
【０００１】本発明は、脳神経外科、整形外科、眼科等の顕微鏡下手術において使用する。特に、血管吻合手術後に吻合部位や動脈瘤クリップ部位の血液の流れ、その量や存在の状況をビデオ映像にして確認する為に医療分野で用いる。
又、血液に注入した蛍光色素（インドシアニングリーン等）に励起光を当て、発光した赤外蛍光により、血流を映像化するところのビデオ撮影機材及び手術顕微鏡分野に関するものである。
【背景技術】
【０００２】従来、赤外蛍光像のビデオ撮影にはすべて赤外光ビデオカメラが使用されている。従って、１台の手術顕微鏡に対して、通常の可視光ビデオカメラと赤外光ビデオカメラの計２台を必要とする。それ故、この２台を手術顕微鏡に接続すビデオアダプター装置も複雑になり、録画装置やモニターもそれぞれに一揃いを必要とする。
【先行技術文献】
【０００３】なし
【発明の概要】
【発明が解決しようとする課題】
【０００４】１台の手術顕微鏡に可視光ビデオカメラと赤外光ビデオカメラの２台を必要とするところを、１台の（可視光）ビデオカメラでもって、可視光域と赤外蛍光を撮影可能ならしめんとする。
【課題を解決するための手段】
【０００５】通常一般の可視光ビデオカメラの撮像素子はＣＣＤ、ＭＯＳ又はＣＭＯＳである。これらは赤外域まで感度を持っている。赤外光は人が見るうえで不要であるから、可視光のみが届くように赤外光カットフィルターがこの素子の直前に設置されている。このフィルターを除去すれば、可視光も赤外光も撮像素子に到達する。そして、手術顕微鏡のオプティクスキャリアとビームスプリッターの間に本発明（図１）を差し込む。又は、ビデオカメラと顕微鏡ビームスプリッターの間に本発明図（２）を組み込む。
先ず本発明（図１）は次の手段を採る。
オプティクスキャリアとビームスプリッターの間に挿入する鏡筒の内部の回転板に４光路穴を設ける。対角の光路で１対をなし、術者の左目用光路と右目用光路となる。この一対の光路に赤外蛍光濾過フィルターを設置する。他の一対の光路に撮像素子から取り外した赤外光カットフィルターを設置する。これらのフィルターは回転板設置されており、レバーによって９０度回転して入れ替わる。
他に、本発明（図２）の手段もある。顕微鏡ビデオアダプターの光路に赤外蛍光濾過フィルターと赤外光カットフィルターはそれぞれのアームに設置され、アームは連結されたレバーよってスイングし、どちらかが入れ替わり光路に入る。
【発明の効果】
【０００６】従来、手術顕微鏡下手術においては可視光ビデオカメラで術部は常時ビデオ撮影されている。他にもう１台、赤外光ビデオカメラを手術顕微鏡に搭載して、手術処置が適正になされたかどうかをチェックするために、インドシアニングリーンの赤外蛍光をビデオ映像化してきた。
本発明により、通常（一般の）可視光用ビデオカメラ１台で通常（一般の）可視光撮影と赤外光撮影ができ、しかも可視光撮影と赤外光撮影の切り替えはレバーで至って簡単、かつ瞬時に切り替わる。
カメラが１台で済めば、顕微鏡とビデオカメラを接続させるアダプター光学系も小型、軽量、シンプルな１台用で済む。
映像システムとして必要であるところのビデオ録画装置も、ビデオモニターもワンセットでよい。
装置費用も従来の半額近くで済むであろう。
【図面の簡単な説明】
【０００７】
【図１】図１は本発明品である鏡筒の平面図と側面図である。赤外光カットフィルターと赤外蛍光濾過フィルターが対角に各々２枚が回転板に配置され、レバーにより９０度回転する。可視光像では、２枚の赤外光カットフィルターが顕微鏡の左眼と右眼の観察光路に入る。又、同様に、赤外蛍光像では赤外蛍光濾過フィルターを顕微鏡の観察光路に入れる。
【図２】図２は本発明品であるビデオアダプターの平面図と側面図である。赤外光カットフィルターと赤外蛍光濾過フィルターの各々１枚がレバーに連動したアームに配置され、レバーにより、可視光像では、光路に赤外光カットフィルターがスイングインし、赤外蛍光像では赤外蛍光濾過フィルターがスイングインする。
【発明を実施する為の形態、実施例】
【０００８】脳動脈瘤手術においてクリッピング処置が完全であることを確認するために本発明品（図１）を用いる。
手術顕微鏡のビームスプリッターの直下に本発明品を設置する。赤外光カットフィルターが取り外されたビデオカメラはアダプターを介してビームスプリッターに接続する。
クリッピング処置終了まで、本発明品の上記赤外光カットフィルター（又は同等特性品）を顕微鏡光路に入れて、通常の可視光撮影をする。次に、本発明品のインドシアニングリーン赤外蛍光濾過フィルターを光路に入れる。インドシアニングリーン（ｉｎｄｏｃｙａｎｉｎｅ  ｇｒｅｅｎ）を経静脈的に注入する。すると、親動脈の血流や動脈瘤内に血液流入のあるなしがビデオモニター画面に映し出される。こうして、クリッピング処置が完全であるか、手術者は確認できる。
可視光も赤外光も画質を落とさず、なぜ１台のビデオカメラで撮影できるか、次に説明する。
可視光撮影の場合：ビデオカメラの撮像素子は赤外光にも感度があるため、可視光に赤外光が乗り、きれいな映像にならない。そこで撮像素子の直前に赤外光カットフィルター（実際には、紫外かつ赤外光カットフィルター）を設置して、結果的に可視光のみを撮影する。
このフィルターをビデオカメラから取り外す。そして、このフィルター（同等波長特性フィルター）を本発明品に設置する。結果、一般（紫外、可視、赤外光）撮影時には、本発明品のフィルターで可視光のみに濾過された光をビデオカメラが受光するから、赤外光像が被らない綺麗な映像になる。
赤外光撮影の場合：ビデオカメラの撮像素子の直前の赤外光カットフィルターは取り外してあるから、赤外光に感度がある。そこで本発明品内に特定波長のみ（インドシアニングリーンの発光蛍光波長８３５ナノメーター）に濾過するフィルターを本発明品の光路に置く。
結果、赤外光撮影時には、このフィルターでインドシアニングリーン赤外蛍光のみに濾過された光をビデオカメラが受光するから、可視光が被らない綺麗な映像になる。
【産業上の利用可能性】
【０００９】顕微鏡下手術、例えば、脳神経外科の脳血管吻合手術において、良好に処置されたか否かの術中にできる確認作業は術後の結果を予測可能にする。蛍光色素の赤外蛍光ビデオ撮影は本発明により、短時間に、少ない作業手順で、手術処置の間違い、不十分さや見落としを防ぐ。小型軽量、単純な撮影準備と操作、録画装置やビデオモニター等のシステムもシンプルな構成になり、今後、世界中で利用される可能性が大いにある。
光学及び顕微蛍光法の知識があり、手術顕微鏡の構造を知っていれば、比較的に生産は容易であり、本発明品の使用操作方法にいたっては、単純簡単で、手術者を選ばない。
【図１】
2017136327.tif 000003
【図２】
2017136327.tif 000004